(57)【特許請求の範囲】
【請求項１】
被監視端末に生じた障害内容を示す障害メッセージを入手する障害メッセージ入手手段と、
前記障害メッセージに含まれる１又は２以上の単語を抽出する単語抽出手段と、
前記障害メッセージが発生する事前確率Ｐ（Ｓ）、重大障害メッセージが発生する事前確率Ｐ（Ｆ）、及び、ある単語が前記重大障害メッセージに含まれる条件付き確率Ｐ（Ｗ｜Ｆ）に基づき、前記障害メッセージが発生したときにそれが前記重大障害メッセージである条件付き確率Ｐ（Ｆ｜Ｓ）を求めるベイズ分類器を作成するとともに、前記事前確率Ｐ（Ｓ）、非重大障害メッセージが発生する事前確率Ｐ（Ｎ）、及び、ある単語が前記非重大障害メッセージに含まれる条件付き確率Ｐ（Ｗ｜Ｎ）に基づき、前記障害メッセージが発生したときにそれが前記非重大障害メッセージである条件付き確率Ｐ（Ｎ｜Ｓ）を求めるベイズ分類器を作成する重大度判定用分類器作成手段と、
前記単語抽出手段が抽出した前記全ての単語及び前記ベイズ分類器に基づき前記条件付き確率Ｐ（Ｆ｜Ｓ）及び前記条件付き確率Ｐ（Ｎ｜Ｓ）を演算し、前記条件付き確率Ｐ（Ｆ｜Ｓ）が前記条件付き確率Ｐ（Ｎ｜Ｓ）よりも大きい場合には前記障害メッセージが前記重大障害メッセージであると判定し、前記条件付き確率Ｐ（Ｆ｜Ｓ）が前記条件付き確率Ｐ（Ｎ｜Ｓ）よりも小さい場合には前記障害メッセージが前記非重大障害メッセージであると判定する重大度判定手段と、
前記障害メッセージに対して前記判定の結果を表示する表示手段と、
を備えることを特徴とする障害対応支援装置。
【請求項２】
前記障害メッセージに対応する必要があったか否かを示す対応要否評価を対応者に要求する対応要否評価要求手段と、
を更に備えており、
前記重大度判定用分類器作成手段は、前記対応要否評価に基づき要対応と評価された要対応障害メッセージを前記重大障害メッセージであると学習するとともに、前記対応要否評価に基づき対応不要と評価された対応不要障害メッセージを前記非重大障害メッセージであると学習する
ことを特徴とする請求項１に記載の障害対応支援装置。
【請求項３】
前記障害メッセージに緊急対応する必要があったか否かを示す緊急度評価を対応者に要求する緊急度評価要求手段と、
前記緊急度評価に基づき緊急であると評価された前記障害メッセージを緊急障害メッセージであると学習するとともに、前記緊急度評価に基づき緊急でないと評価された前記障害メッセージを非緊急障害メッセージであると学習することにより、前記事前確率Ｐ（Ｓ）、前記緊急障害メッセージが発生する事前確率Ｐ（Ｅ）、及び、ある単語が前記緊急障害メッセージに含まれる条件付き確率Ｐ（Ｗ｜Ｅ）に基づき、障害メッセージが発生したときにそれが緊急障害メッセージである条件付き確率Ｐ（Ｅ｜Ｓ）を求めるベイズ分類器を作成するとともに、前記事前確率Ｐ（Ｓ）、前記非緊急障害メッセージが発生する事前確率Ｐ（Ｍ）、及び、ある単語が前記非緊急障害メッセージに含まれる条件付き確率Ｐ（Ｗ｜Ｍ）に基づき、障害メッセージが発生したときにそれが前記非緊急障害メッセージである条件付き確率Ｐ（Ｍ｜Ｓ）を求めるベイズ分類器を作成する緊急度判定用分類器作成手段と、
前記単語抽出手段が抽出した前記全ての単語及び前記ベイズ分類器に基づき前記条件付き確率Ｐ（Ｅ｜Ｓ）及び前記条件付き確率Ｐ（Ｍ｜Ｓ）を演算し、前記条件付き確率Ｐ（Ｅ｜Ｓ）が前記条件付き確率Ｐ（Ｍ｜Ｓ）よりも大きい場合には前記障害メッセージが緊急障害メッセージであると判定し、前記条件付き確率Ｐ（Ｅ｜Ｓ）が前記条件付き確率Ｐ（Ｍ｜Ｓ）よりも小さい場合には前記障害メッセージが非緊急障害メッセージであると判定する緊急度判定手段と、
を更に備えることを特徴とする請求項１又は請求項２に記載の障害対応支援装置。
【請求項４】
前記障害メッセージに対して推奨される１又は２以上の類似障害対象情報に推奨度を付与する推奨度付与手段と、
を更に備えており、
前記表示手段は、入手した前記障害メッセージに対して前記推奨度が高い順に前記類似障害対象情報を表示する
ことを特徴とする請求項１から請求項３のいずれか１項に記載の障害対応支援装置。
【請求項５】
前記重大度判定用分類器作成手段又は前記緊急度判定用分類器作成手段は、時期的条件、回数的条件その他の所定の条件を満たしたときに、分類器を作成する
ことを特徴とする請求項３に記載の障害対応支援装置。
【請求項６】
請求項１から請求項５のいずれか１項に記載の障害対応支援装置としてコンピュータを機能させるための障害対応支援プログラム。
【請求項７】
請求項６に記載の障害対応支援プログラムを記憶したコンピュータ読み取り可能な記憶媒体。
【発明の詳細な説明】
【技術分野】
【０００１】
本発明は、障害対応支援装置、障害対応支援プログラム及び記憶媒体に係り、特に、コンピュータ等のＩＴ機器を監視する監視ツールから送信された障害メッセージの対応に好適に利用できる障害対応支援装置、障害対応支援プログラム及び記憶媒体に関する。
【背景技術】
【０００２】
従来の障害対応支援装置は、ログ情報記憶手段からログメッセージ（障害メッセージ）を取得して、該ログメッセージに含まれる各単語（障害用語）に対して、該単語の出現位置、単語、該ログメッセージに含まれる単語数に対して出現頻度の組に基づいてスコアを算出し、該スコアに基づいてクラスタリングを行うことにより、テンプレートを生成する。このとき、クラスタリングされたクラスタを値の高いものから併合し、ログメッセージの総単語数と重大な単語を含むクラスタの範囲を決定するための所定の閾値を乗じた値を超えた時点において併合した単語の集合をテンプレートとする。複数の機器のログメッセージを取得して、生成されているテンプレートとマッチングを行うことにより、重大なメッセージを抽出する。
【先行技術文献】
【特許文献】
【０００３】
【特許文献１】特開２０１３−１７１４７１号公報
【発明の概要】
【発明が解決しようとする課題】
【０００４】
しかしながら、従来の障害対応支援装置はクラスタ解析に基づきテンプレートを生成するため、対応者がその経験に基づきテンプレートの正否を分析しなければならない。その結果、対応者の経験に応じて分析結果が異なったり、主観的な結果になったりするという問題があった。
【０００５】
また、従来の障害対応支援装置は、重大度や緊急度などの種々の観点に基づく障害対応の容易性に問題があった。
【０００６】
そこで、本発明はこれらの点に鑑みてなされたものであり、障害対応に不慣れな対応者であっても経験豊富な対応者と同様に対応することができる障害対応支援装置、障害対応支援プログラム及び記憶媒体を提供することを本発明の目的としている。
【課題を解決するための手段】
【０００７】
（１）前述した目的を達成するため、本発明の障害対応支援装置は、被監視端末に生じた障害内容を示す障害メッセージを入手する障害メッセージ入手手段と、障害メッセージに含まれる１又は２以上の単語を抽出する単語抽出手段と、障害メッセージが発生する事前確率Ｐ（Ｓ）、重大障害メッセージが発生する事前確率Ｐ（Ｆ）、及び、ある単語が重大障害メッセージに含まれる条件付き確率Ｐ（Ｗ｜Ｆ）に基づき、障害メッセージが発生したときにそれが重大障害メッセージである条件付き確率Ｐ（Ｆ｜Ｓ）を求めるベイズ分類器を作成するとともに、事前確率Ｐ（Ｓ）、非重大障害メッセージが発生する事前確率Ｐ（Ｎ）、及び、ある単語が非重大障害メッセージに含まれる条件付き確率Ｐ（Ｗ｜Ｎ）に基づき、障害メッセージが発生したときにそれが非重大障害メッセージである条件付き確率Ｐ（Ｎ｜Ｓ）を求めるベイズ分類器を作成する重大度判定用分類器作成手段と、単語抽出手段が抽出した全ての単語及びベイズ分類器に基づき条件付き確率Ｐ（Ｆ｜Ｓ）及び条件付き確率Ｐ（Ｎ｜Ｓ）を演算し、条件付き確率Ｐ（Ｆ｜Ｓ）が条件付き確率Ｐ（Ｎ｜Ｓ）よりも大きい場合には障害メッセージが重大障害メッセージであると判定し、条件付き確率Ｐ（Ｆ｜Ｓ）が条件付き確率Ｐ（Ｎ｜Ｓ）よりも小さい場合には障害メッセージが非重大障害メッセージであると判定する重大度判定手段と、障害メッセージに対して判定の結果を表示する表示手段と、を備えることを特徴とする。
【０００８】
これにより、本発明の障害対応支援装置は、障害メッセージが発生したときにそれが重大障害メッセージである条件付き確率Ｐ（Ｆ｜Ｓ）と障害メッセージが発生したときにそれが非重大障害メッセージである条件付き確率Ｐ（Ｎ｜Ｓ）との比較に基づき障害メッセージの重大度を客観的に判断するため、対応者の経験に依存することなく、障害メッセージに対する重大度の判定の結果を表示することができる。
【０００９】
（２）また、本発明の障害対応支援装置は、障害メッセージに対応する必要があったか否かを示す対応要否評価を対応者に要求する対応要否評価要求手段と、を更に備えており、重大度判定用分類器作成手段は、対応要否評価に基づき要対応と評価された要対応障害メッセージを重大障害メッセージであると学習するとともに、対応要否評価に基づき対応不要と評価された対応不要障害メッセージを非重大障害メッセージであると学習することが好ましい。
【００１０】
これにより、本発明の障害対応支援装置は、障害メッセージを確認した対応者が要対応であると判断した障害メッセージを重大障害メッセージとして学習するので、客観的な判定の結果に対して対応者の主観的判断を加えることができる。
【００１１】
（３）また、本発明の障害対応支援装置は、障害メッセージに緊急対応する必要があったか否かを示す緊急度評価を対応者に要求する緊急度評価要求手段と、緊急度評価に基づき緊急であると評価された障害メッセージを緊急障害メッセージであると学習するとともに、緊急度評価に基づき緊急でないと評価された障害メッセージを非緊急障害メッセージであると学習することにより、事前確率Ｐ（Ｓ）、緊急障害メッセージが発生する事前確率Ｐ（Ｅ）、及び、ある単語が緊急障害メッセージに含まれる条件付き確率Ｐ（Ｗ｜Ｅ）に基づき、障害メッセージが発生したときにそれが緊急障害メッセージである条件付き確率Ｐ（Ｅ｜Ｓ）を求めるベイズ分類器を作成するとともに、事前確率Ｐ（Ｓ）、非緊急障害メッセージが発生する事前確率Ｐ（Ｍ）、及び、ある単語が非緊急障害メッセージに含まれる条件付き確率Ｐ（Ｗ｜Ｍ）に基づき、障害メッセージが発生したときにそれが非緊急障害メッセージである条件付き確率Ｐ（Ｍ｜Ｓ）を求めるベイズ分類器を作成する緊急度判定用分類器作成手段と、単語抽出手段が抽出した全ての単語及びベイズ分類器に基づき条件付き確率Ｐ（Ｅ｜Ｓ）及び条件付き確率Ｐ（Ｍ｜Ｓ）を演算し、条件付き確率Ｐ（Ｅ｜Ｓ）が条件付き確率Ｐ（Ｍ｜Ｓ）よりも大きい場合には障害メッセージが緊急障害メッセージであると判定し、条件付き確率Ｐ（Ｅ｜Ｓ）が条件付き確率Ｐ（Ｍ｜Ｓ）よりも小さい場合には障害メッセージが非緊急障害メッセージであると判定する緊急度判定手段と、を更に備えることが好ましい。
【００１２】
これにより、本発明の障害対応支援装置は、障害メッセージが発生したときにそれが緊急障害メッセージである条件付き確率Ｐ（Ｅ｜Ｓ）と障害メッセージが発生したときにそれが非緊急障害メッセージである条件付き確率Ｐ（Ｍ｜Ｓ）との比較に基づき、障害メッセージの重大度だけでなく、その緊急度も客観的に判断するため、対応者の経験に依存することなく、障害メッセージに対する重大度及び緊急度の複合的な判定の結果を表示することができる。
【００１３】
（４）また、本発明の障害対応支援装置は、障害メッセージに対して推奨される１又は２以上の類似障害対象情報に推奨度を付与する推奨度付与手段と、を更に備えており、表示手段は、入手した障害メッセージに対して推奨度が高い順に類似障害対象情報を表示することが好ましい。
【００１４】
これにより、本発明の障害対応支援装置は、重要度や緊急度が同様な２以上の類似障害対象情報が存在する場合であっても、ある対応者が理解容易な類似障害対象情報に対して高い推奨度を付与することにより、どの類似障害対象情報が理解容易かを別の対応者が判断することができる。
【００１５】
（５）また、本発明の障害対応支援装置において、重大度判定用分類器作成手段又は緊急度判定用分類器作成手段は、時期的条件、回数的条件その他の所定の条件を満たしたときに、分類器を作成することが好ましい。
【００１６】
これにより、本発明の障害対応支援装置は、分類器作成に伴う処理の負担を減少させることができる。
【００１７】
（６）また、前述した目的を達成するため、本発明の障害対応支援プログラムは、上記した本発明の障害対応支援装置としてコンピュータを機能させるためのものであることを特徴としている。
【００１８】
これにより、本発明の障害対応支援プログラムは、障害メッセージが発生したときにそれが重大障害メッセージである条件付き確率Ｐ（Ｆ｜Ｓ）と障害メッセージが発生したときにそれが非重大障害メッセージである条件付き確率Ｐ（Ｎ｜Ｓ）との比較に基づき障害メッセージの重大度を客観的に判断するため、対応者の経験に依存することなく、障害メッセージに対する重大度の判定の結果を表示することができる。
【００１９】
（７）また、前述した目的を達成するため、本発明の記憶媒体は、上記した本発明の障害対応支援プログラムを記憶したコンピュータ読み取り可能なものであることを特徴としている。
【００２０】
これにより、本発明の記憶媒体は、その記憶媒体を接続させたコンピュータを、本発明の障害対応支援装置として機能させることができる。
【発明の効果】
【００２１】
本発明の障害対応支援装置、障害対応支援プログラム及び記憶媒体は、相対する２つの条件付き確率の比較に基づき客観的に判断することにより、障害メッセージに対する重大度、緊急度又は類似障害対象情報の推奨度に関する判定の結果を表示することができるので、障害対応に不慣れな対応者であっても経験豊富な対応者と同様に対応することができるという効果を奏する。
【図面の簡単な説明】
【００２２】
【図１】図１は、本実施形態の障害対応支援装置の全体構成を示すブロック図である。
【図２】図２は、本実施形態の障害対応支援プログラムによる処理フローを示すフローチャートである。
【図３】図３は、本実施形態の表示手段が表示する各種情報の一例を示す概念図である。
【図４】図４は、本実施形態の表示工程Ｓにおいて表示される障害メッセージの一覧及び判定結果の一例を示す概念図である。
【図５】図５は、本実施形態の対応要否評価要求手段による要求の一例を示す概念図である。
【図６】図６は、本実施形態の対応要否評価要求手段による要求の他の一例を示す概念図である。
【図７】図７は、本実施形態の緊急度評価要求手段による要求の一例を示す概念図である。
【発明を実施するための形態】
【００２３】
以下、各図を用いて、本実施形態の障害対応支援装置、障害対応支援プログラム及び記憶媒体を説明する。
【００２４】
［１］本実施形態の構成
［１−１］障害対応支援装置１
図１は、本実施形態の障害対応支援装置１の全体構成を示すブロック図である。
【００２５】
本実施形態の障害対応支援装置１は、障害メッセージ入手手段１１と、単語抽出手段１２と、重大度判定用分類器作成手段１３と、重大度判定手段１４と、表示手段１５と、対応要否評価要求手段１６と、緊急度評価要求手段１７と、緊急度判定用分類器作成手段１８と、緊急度判定手段１９と、推奨度付与手段２０と、を備える。
【００２６】
上記した障害メッセージ入手手段１１等の各手段は、ＣＰＵなどの処理装置、ＲＡＭなどの記憶装置、ＨＤＤやＳＳＤなどの補助記憶装置、キーボードやディスプレイなどの入出力装置、インターネット接続装置などの通信装置その他のコンピュータを構成する一般的な構成要素に基づいて構成されている。
【００２７】
［１−２］障害対応支援プログラム２
本実施形態の障害対応支援プログラム２は、本実施形態の障害対応支援装置１としてコンピュータを機能させるためのスタンドアローンアプリケーションソフトウェア又はウェブアプリケーションソフトウェアである。本実施形態の障害対応支援プログラム２がコンピュータ上で動作すると、そのコンピュータの一般的な構成要素の一部又は全部が上記した障害メッセージ入手手段１１等の各手段となるため、そのコンピュータは本実施形態の障害対応支援装置１として機能する。
【００２８】
［１−３］記憶媒体３
本実施形態の記憶媒体３は、本実施形態の障害対応支援プログラム２を記憶している。また、本実施形態の記憶媒体３は、その記憶媒体３に記憶された本実施形態の障害対応支援プログラム２がコンピュータに読み取り可能となるように構成されている。本実施形態の記憶媒体３の具体例としては、ＣＤ、ＤＶＤ、ＵＳＢメモリなどが挙げられる。
【００２９】
［２］本実施形態の処理フロー
本実施形態の障害対応支援プログラム２は、上記した障害メッセージ入手手段１１等の各手段により実行される各工程に基づき、以下の重大度判定、緊急度判定、及び、推奨度に関する各処理を行う。
【００３０】
［２−１］重大度判定に関する処理
まず、重大度判定に関する処理の流れを以下に示す。
【００３１】
［２−１−１］障害メッセージ入手工程Ｓ１１
図２は、本実施形態の障害対応支援プログラム２における重大度判定に関する処理を示すフローチャートである。図３は、本実施形態の表示手段１５が表示する各種情報の一例を示す概念図である。
【００３２】
障害メッセージ入手手段１１は、図２に示すように、被監視端末５１に生じた障害内容を示す障害メッセージを入手する障害メッセージ入手工程Ｓ１１を行う。
【００３３】
ここで、被監視端末５１とは、本実施形態の障害対応支援装置１に接続された監視ツール５２が監視するコンピュータなどのＩＴシステムである。障害内容とは、例えば被監視端末５１のＣＰＵ（中央演算処理装置）の過負荷状態など、被監視端末５１に生じたシステム上の問題である。障害メッセージとは、例えば、「ＣＰＵがボトルネック状態です。現在の負荷値９９．００％はその閾値９５．００％を超えています。」などの文字で示された障害メッセージである。
【００３４】
［２−１−２］単語抽出工程Ｓ１２
単語抽出手段１２は、障害メッセージに含まれる１又は２以上の単語を抽出する単語抽出工程Ｓ１２を行う。
【００３５】
ここで、障害メッセージに含まれる単語とは、例えば、「ＣＰＵ」、「ボトルネック」、「負荷」、「閾値」などの障害メッセージを構成する単語である。
【００３６】
［２−１−３］重大度判定用分類器作成工程Ｓ１３
重大度判定用分類器作成手段１３は、障害メッセージの重大度を判定するため、以下に示す所望の条件付き確率を求める２つのベイズ分類器を作成する重大度判定用分類器作成工程Ｓ１３を行う。
【００３７】
障害メッセージが発生したときにそれが重大障害メッセージである条件付き確率Ｐ（Ｆ｜Ｓ）を求めるベイズ分類器は、以下の通りに作成される。
【００３８】
まず、障害メッセージが発生する確率を事前確率Ｐ（Ｓ）とし、重大障害メッセージが発生する確率を事前確率Ｐ（Ｆ）とする。重大障害メッセージとは、ある障害メッセージは重大な障害を知らせるメッセージであることを、本実施形態の障害対応支援装置１を操作する対応者若しくは障害対応支援装置１の設定項目を設定する設定者が事前に判断したメッセージ又は重大度判定用分類器作成手段１３が学習したメッセージである。
【００３９】
このとき、障害メッセージが発生する事前確率Ｐ（Ｓ）を前提とした場合、障害メッセージが発生し、かつ、重大障害メッセージが発生する確率Ｐ（Ｓ∩Ｆ）は、数１の通りとなる。
【００４０】
【数１】
0006693010.tif 000002
【００４１】
一方、重大障害メッセージが発生する事前確率Ｐ（Ｆ）を前提とした場合、重大障害メッセージが発生し、かつ、障害メッセージが発生する確率Ｐ（Ｆ∩Ｓ）は、数２の通りとなる。
【００４２】
【数２】
0006693010.tif 000003
【００４３】
ここで、数１及び数２において「Ｐ（Ｓ∩Ｆ）＝Ｐ（Ｆ∩Ｓ）」が成立する。このことから、障害メッセージが発生したときにそれが重大障害メッセージである条件付き確率Ｐ（Ｆ｜Ｓ）は、数１及び数２に基づき、数３の通りに示される。数３に示す数式はベイズの定理といわれる。
【００４４】
【数３】
0006693010.tif 000004
【００４５】
ここで、単語抽出工程Ｓ１２において障害メッセージから抽出されたｊ番目の単語をＷｊとすると、単語抽出手段１２が抽出した全ての単語Ｗｊはある障害メッセージＳに同時に記載されていることになる。これを数式で表すと、数４の通りとなる。
【００４６】
【数４】
0006693010.tif 000005
【００４７】
以上から、障害メッセージが発生したときにそれが重大障害メッセージである条件付き確率Ｐ（Ｆ｜Ｓ）を求めるベイズ分類器は、以下のようにあらわせる。
【００４８】
【数５】
0006693010.tif 000006
【００４９】
なお、ΠＰ（Ｗｊ｜Ｆ）は、重大障害メッセージが発生したときに単語抽出手段１２が抽出したある単語Ｗｊが重大障害メッセージ内に含まれる条件付き確率Ｐ（Ｗｊ｜Ｆ）の総乗である。
【００５０】
すなわち、障害メッセージが発生したときにそれが重大障害メッセージである条件付き確率Ｐ（Ｆ｜Ｓ）を求めるベイズ分類器は、上記に示す通り、障害メッセージが発生する事前確率Ｐ（Ｓ）、重大障害メッセージが発生する事前確率Ｐ（Ｆ）、及び、ある単語が重大障害メッセージに含まれる条件付き確率Ｐ（Ｗ｜Ｆ）に基づき、作成される。
【００５１】
また、上記の数式において、「重大障害メッセージが発生する事前確率Ｐ（Ｆ）」を「非重大障害メッセージが発生する事前確率Ｐ（Ｎ）」に置き換えると、障害メッセージが発生したときにそれが非重大障害メッセージである条件付き確率Ｐ（Ｎ｜Ｓ）を求めるベイズ分類器が数６の通りに求められる。
【００５２】
なお、非重大障害メッセージとは、ある障害メッセージは重大な障害を知らせるメッセージではないと本実施形態の障害対応支援装置１の対応者若しくは設定者が事前に判断したメッセージ又は重大度判定用分類器作成手段１３が学習したメッセージである。
【００５３】
【数６】
0006693010.tif 000007
【００５４】
すなわち、障害メッセージが発生したときにそれが非重大障害メッセージである条件付き確率Ｐ（Ｎ｜Ｓ）を求めるベイズ分類器は、上記に示す通り、事前確率Ｐ（Ｓ）、非重大障害メッセージが発生する事前確率Ｐ（Ｎ）、及び、ある単語が非重大障害メッセージに含まれる条件付き確率Ｐ（Ｗ｜Ｎ）に基づき、作成される。
【００５５】
なお、上記の重大度判定用分類器作成工程Ｓ１３は、重大度判定用分類器がすでに作成又は事前入力されている場合、所定の条件Ｃ１を満たした場合（Ｃ１→Ｓ１３）のみに行われることが好ましい。これは、重大度判定用分類器作成工程Ｓ１３を行う障害対応支援装置１の処理負担を軽減させるためである。本実施形態の重大度判定用分類器作成工程Ｓ１３が行われる所定の条件は、例えば、週に１回などの時期的条件である。所定の条件は、時期的条件だけでなく、ベイズ分類器の作成を行った後に１０回回避するといった回数的条件など他の条件であっても良い。
【００５６】
［２−１−４］重大度判定工程Ｓ１４
重大度判定手段１４は、重大度判定工程Ｓ１４を行う。重大度判定工程Ｓ１４は、以下の演算工程及び判定工程により構成される。
【００５７】
（１）演算工程
演算工程においては、単語抽出手段１２が抽出した全ての単語及びベイズ分類器に基づき、障害メッセージが発生したときにそれが重大障害メッセージである条件付き確率Ｐ（Ｆ｜Ｓ）、及び、障害メッセージが発生したときにそれが非重大障害メッセージである条件付き確率Ｐ（Ｎ｜Ｓ）を演算する。
【００５８】
例えば、障害メッセージが「ＣＰＵがボトルネック状態です。現在の負荷値９９．００％はその閾値９５．００％を超えています。」であって、それが重大障害メッセージである場合を考える。このとき、障害メッセージ内において単語抽出手段１２が抽出する単語Ｗｊは、例えば、Ｗ１「ＣＰＵ」、Ｗ２「ボトルネック」、Ｗ３「負荷値」、Ｗ４「閾値」などである。また、これら各単語が重大障害メッセージに含まれる条件付き確率Ｐ（Ｗｊ｜Ｆ）は、緊急度の設定及び学習の結果から、例えば、Ｐ（Ｗ１｜Ｆ）＝０．７、Ｐ（Ｗ２｜Ｆ）＝０．６、Ｐ（Ｗ３｜Ｆ）＝０．５、Ｐ（Ｗ４｜Ｆ）＝０．５、になっているとする。その結果、上記した各単語における条件付き確率Ｐ（Ｗｊ｜Ｆ）のみで計算した場合（ｊ＝１〜４）、ΠＰ（Ｗｊ｜Ｆ）＝０．１０５となる。
【００５９】
一方、障害メッセージは重大障害メッセージ又は非重大障害メッセージのいずれかであるため、上記の障害メッセージが発生した場合、これら各単語が非重大障害メッセージに含まれる条件付き確率Ｐ（Ｗｊ｜Ｎ）は、数７の通りとなる。
【００６０】
【数７】
0006693010.tif 000008
【００６１】
そのため、これら各単語が非重大障害メッセージに含まれる条件付き確率Ｐ（Ｗｊ｜Ｎ）は、Ｐ（Ｗ１｜Ｎ）＝０．３、Ｐ（Ｗ２｜Ｎ）＝０．４、Ｐ（Ｗ３｜Ｎ）＝０．５、Ｐ（Ｗ４｜Ｎ）＝０．５、となる。その結果、上記した各単語における条件付き確率Ｐ（Ｗｊ｜Ｎ）のみで計算した場合（ｊ＝１〜４）、ΠＰ（Ｗｊ｜Ｎ）＝０．０３となる。
【００６２】
ここで、障害メッセージが必ず発生すると仮定すると、障害メッセージが発生する確率を事前確率Ｐ（Ｓ）は数８の通りに置き換えることができる。
【００６３】
【数８】
0006693010.tif 000009
【００６４】
また、重大障害メッセージが発生する事前確率Ｐ（Ｆ）と非重大障害メッセージが発生する事前確率Ｐ（Ｎ）とが同様の確率で起こることに反対理由がない。よって、理由不十分の原則より、Ｐ（Ｆ）及びＰ（Ｎ）は数９の通りに置き換えることができる。
【００６５】
【数９】
0006693010.tif 000010
【００６６】
すなわち、障害メッセージが発生したときにそれが重大障害メッセージである条件付き確率はＰ（Ｆ｜Ｓ）、及び、障害メッセージが発生したときにそれが非重大障害メッセージである条件付き確率Ｐ（Ｎ｜Ｓ）の演算結果は、上記の単語Ｗ１〜Ｗ４に限った場合、以下の数１０の通りとなる。
【００６７】
【数１０】
0006693010.tif 000011
【００６８】
（２）判定工程
判定工程においては、障害メッセージが発生したときにそれが重大障害メッセージである条件付き確率はＰ（Ｆ｜Ｓ）と、障害メッセージが発生したときにそれが非重大障害メッセージである条件付き確率Ｐ（Ｎ｜Ｓ）とを比較することにより、以下の通りに判定する。
【００６９】
例えば、上記具体例の場合、数１０に示す通り、条件付き確率Ｐ（Ｆ｜Ｓ）が条件付き確率Ｐ（Ｎ｜Ｓ）よりも大きくなる。この場合、障害メッセージが重大障害メッセージであると判定する。
【００７０】
一方、上記具体例とは異なり、条件付き確率Ｐ（Ｆ｜Ｓ）が条件付き確率Ｐ（Ｎ｜Ｓ）よりも小さくなった場合、障害メッセージが非重大障害メッセージであると判定する。
【００７１】
［２−１−５］表示工程Ｓ１５
図４は、本実施形態の表示工程Ｓにおいて表示される障害メッセージの一覧及び判定結果の一例を示す概念図である。
【００７２】
表示手段１５は、図４に示す通り、障害メッセージの表示に併せて、障害メッセージに判定の結果を表示する表示工程Ｓ１５を行う。判定の結果は、先の述べた重大度だけでなく、後述する緊急度、推奨度などの判定の結果も表示することが好ましい。
【００７３】
また、表示手段１５は、障害メッセージに対して推奨される１又は２以上の類似障害対象情報を表示する。例えば、障害メッセージが「ＣＰＵがボトルネック状態です。現在の負荷値９９．００％はその閾値９５．００％を超えています。」である場合、類似障害対象情報は「障害発生に伴う業務影響状況をオペレータに確認し、アプリチームに対して障害発生及び業務影響状況を連絡してください。」などになる。
【００７４】
類似障害対象情報の選択方法としては、例えば、新規に発生した障害メッセージに含まれる各単語の出現率と過去に発生したある障害メッセージに含まれる各単語の出現率とに基づき、障害メッセージの類似性を障害対応支援装置１が判断する。そして、新規の障害メッセージが過去のある障害メッセージと類似すると判断された場合、障害対応支援装置１は、過去のある障害メッセージに対する類似障害対象情報が新規の障害メッセージに推奨される類似障害対象情報である旨を表示手段１５に対して命令する。これにより、表示手段１５は推奨の類似障害対象情報を表示する。
【００７５】
［２−１−６］対応要否評価要求工程Ｓ１６
図５は、本実施形態の対応要否評価要求手段１６による要求の一例を示す概念図である。図６は、本実施形態の対応要否評価要求手段１６による要求の他の一例を示す概念図である。
【００７６】
対応要否評価要求手段１６は、図５及び図６に示すように、障害メッセージに対応する必要があったか否かを示す対応要否評価を対応者に要求する対応要否評価要求工程Ｓ１６を行う。
【００７７】
例えば、上記の例と同様、「ＣＰＵがボトルネック状態です。現在の負荷値９９．００％はその閾値９５．００％を超えています。」といった障害メッセージが発生した場合、対応要否評価要求手段１６は、表示手段１５に対し、「対応完了（要対応）」、「対応不要」などの選択肢（障害メッセージに対応する必要があったか否かを示す対応要否評価）の表示を命令することにより、障害対応支援装置１の対応者に対して対応要否評価を要求する。
【００７８】
そして、障害対応支援装置１の対応者が「対応完了（要対応）」の選択肢を選択する対応要否評価を行った場合、重大度判定手段１４がその障害メッセージを重大障害メッセージ又は非重大障害メッセージのどちらかと判断したかにかかわらず、上記した重大度判定用分類器作成手段１３は、対応要否評価に基づき要対応と評価された要対応障害メッセージを重大障害メッセージであると学習する。また、障害対応支援装置１の対応者が「対応不要」の選択肢を選択する対応要否評価を行った場合、重大度判定手段１４がその障害メッセージを重大障害メッセージ又は非重大障害メッセージのどちらかと判断したかにかかわらず、上記した重大度判定用分類器作成手段１３は、対応要否評価に基づき対応不要と評価された対応不要障害メッセージを非重大障害メッセージであると学習する。
【００７９】
学習手法としては、例えば、過去に発生した１０件の障害メッセージから単語抽出手段１２が単語Ｗ１「ＣＰＵ」を抽出し、その単語Ｗ１が重大障害メッセージに含まれた回数が７回あった場合を考える。この場合、単語Ｗ１が重大障害メッセージに含まれる条件付き確率Ｐ（Ｗ１｜Ｆ）は０．７となり、単語Ｗ１が非重大障害メッセージに含まれる条件付き確率Ｐ（Ｗ１｜Ｎ）は０．３となる。ここで、単語Ｗ１「ＣＰＵ」を含む第１１回目の障害メッセージが発生し、障害対応支援装置１の対応者が「対応完了（要対応）」の選択肢を選択した場合、有効数字が少数第３位であるならば、上記の条件付き確率Ｐ（Ｗ１｜Ｆ）は０．７２７（＝８／１１）となり、上記の条件付きＰ（Ｗ１｜Ｎ）は０．２７３（＝３／１１）となる。このように重大度判定用分類器作成手段１３は学習する。
【００８０】
また、対応者が「対応完了（＝要対応）」を選択した場合、対応要否評価要求手段１６は、図５に示すように、「作業ミス」などの原因選択肢を対応者に要求することが好ましい。一方、対応者が「対応不要」を選択した場合、対応要否評価要求手段１６は、図６に示すように、「無視対象」などの原因選択肢を対応者に要求することが好ましい。
【００８１】
なお、重大障害メッセージが多すぎることにより対応者にとって大切な重大な障害メッセージが大切ではない大量の重大障害メッセージに埋もれてしまう場合、対応要否評価要求手段１６は、対応要否評価が「対応完了（＝要対応）」であってその原因が「作業ミス」などのような、特定の対応要否評価及び原因の組み合わせが選択された場合のみ障害メッセージを重大障害メッセージとして処理することが好ましい。これにより、障害メッセージが重大障害メッセージであると判断される確率が低くなるので、対応要否評価要求手段１６は、対応者にとって大切な障害メッセージのみを重大障害メッセージにすることができる。
【００８２】
以上の流れにより、重大度判定に関する処理がなされる。
【００８３】
［２−２］緊急度判定に関する処理
次に、緊急度判定に関する処理の流れを以下に示す。
【００８４】
図７は、本実施形態の緊急度評価要求手段１７による要求の一例を示す概念図である。
【００８５】
［２−２−１］緊急度評価要求工程Ｓ１７
緊急度評価要求手段１７は、障害メッセージに緊急対応する必要があったか否かを示す緊急度評価を対応者に要求する緊急度評価要求工程Ｓ１７を行う。
【００８６】
例えば、被監視端末５１内において動作するソフトウェアの緊急停止を通知する重大障害メッセージに対して対応者が対応を行った場合を考える。このとき、緊急度評価要求手段１７は、図７に示すように、障害メッセージが表示される表示画面において、緊急度が「通常」又は「緊急」の選択肢（＝重大障害メッセージを緊急対応する必要があったか否かを示す緊急度評価）を表示する。これにより、緊急度評価要求手段１７は、対応者に対して、緊急度が「通常」又は「緊急」のどちらかを要求する。対応者は、上記の要求に対し、「通常」又は「緊急」を選択することにより、緊急度評価要求手段１７に対して緊急度評価を入力する。
【００８７】
なお、本実施形態の障害対応支援装置１の設定者は、重大ではない障害メッセージに対して対応者が緊急対応することがないと考えている。そのため、障害メッセージが重大障害メッセージであって、かつ、その対応要否結果が「対応完了（＝要対応）」である場合にのみ、緊急度評価要求手段１７が緊急度の入力を要求するように設定者は設定している。もちろん、設定の変更によって、緊急度評価要求手段１７がすべての障害メッセージに対して緊急度の入力を要求するように設定することも可能である。
【００８８】
［２−２−２］緊急度判定用分類器作成工程Ｓ１８
緊急度判定用分類器作成手段１８は、学習工程、及び、分類器作成工程に基づき、緊急度判定用分類器作成工程Ｓ１８を行う。
【００８９】
ここで、以下においては、障害メッセージが発生する事前確率をＰ（Ｓ）、緊急障害メッセージが発生する事前確率をＰ（Ｅ）、ある単語が緊急障害メッセージに含まれる条件付き確率をＰ（Ｗ｜Ｅ）、障害メッセージが発生したときにそれが緊急障害メッセージである条件付き確率をＰ（Ｅ｜Ｓ）として表す。また、非緊急障害メッセージが発生するを事前確率Ｐ（Ｍ）、ある単語が非緊急障害メッセージに含まれる条件付き確率をＰ（Ｗ｜Ｍ）、障害メッセージが発生したときにそれが非緊急障害メッセージである条件付き確率をＰ（Ｍ｜Ｓ）として表す。
【００９０】
（１）学習工程
緊急度判定用分類器作成手段１８は、学習工程において、緊急度評価要求手段１７に対して入力された緊急度評価に基づき緊急であると評価された障害メッセージを、緊急障害メッセージであると学習する。また、緊急度判定用分類器作成手段１８は、上記と同様、緊急度評価に基づき緊急でないと評価された障害メッセージを、非緊急障害メッセージであると学習する。
【００９１】
学習手法は、重大度判定手段１４による学習手法と同様である。例えば、過去に発生した７件の重大障害メッセージから単語抽出手段１２が単語Ｗ１「ＣＰＵ」を抽出し、その単語Ｗ１が緊急障害メッセージに含まれた回数が４回あった場合を考える。この場合、単語Ｗ１が緊急障害メッセージに含まれる条件付き確率Ｐ（Ｗ１｜Ｅ）は０．５７１となり、単語Ｗ１が非緊急障害メッセージに含まれる条件付き確率Ｐ（Ｗ１｜Ｍ）は０．４２９となる。ここで、単語Ｗ１「ＣＰＵ」を含む第８回目の重大障害メッセージが発生し、障害対応支援装置１の対応者が「緊急」の選択肢を選択した場合、有効数字が少数第３位であるならば、上記の条件付き確率Ｐ（Ｗ１｜Ｅ）は０．６２５（＝５／８）となり、上記の条件付きＰ（Ｗ１｜Ｍ）は０．３７５（＝３／８）となる。このように緊急度判定用分類器作成手段１８は学習する。
【００９２】
（１）分類器作成工程
緊急度判定用分類器作成手段１８は、分類器作成工程において、障害メッセージが発生したときにそれが緊急障害メッセージである条件付き確率Ｐ（Ｅ｜Ｓ）を求めるベイズ分類器、及び、障害メッセージが発生したときにそれが非緊急障害メッセージである条件付き確率Ｐ（Ｍ｜Ｓ）を求めるベイズ分類器を作成する。緊急度判定に用いる分類器の作成手法は、重大度判定用分類器の作成手法と同様、例えば以下の通りである。
【００９３】
緊急障害メッセージとは、本実施形態の設定の限りにおいて、ある重大障害メッセージが緊急対応を要する障害を知らせるメッセージであることを、緊急度判定用分類器作成手段１８が学習したメッセージ又は本実施形態の障害対応支援装置１を操作する対応者若しくは障害対応支援装置１の設定項目を設定する設定者が事前に判断したメッセージである。
【００９４】
このとき、障害メッセージが発生する事前確率Ｐ（Ｓ）を前提とした場合、障害メッセージが発生し、かつ、緊急障害メッセージが発生する確率Ｐ（Ｓ∩Ｅ）は、数１１の通りとなる。
【００９５】
【数１１】
0006693010.tif 000012
【００９６】
一方、緊急障害メッセージが発生する事前確率Ｐ（Ｅ）を前提とした場合、緊急障害メッセージが発生し、かつ、障害メッセージが発生する確率Ｐ（Ｅ∩Ｓ）は、数１２の通りとなる。
【００９７】
【数１２】
0006693010.tif 000013
【００９８】
ここで、数１１及び数１２において「Ｐ（Ｓ∩Ｅ）＝Ｐ（Ｅ∩Ｓ）」が成立する。このことから、障害メッセージが発生したときにそれが緊急障害メッセージである条件付き確率Ｐ（Ｅ｜Ｓ）は、数１１及び数１２に基づき、数１３の通りに示される。数１３に示す数式はベイズの定理といわれる。
【００９９】
【数１３】
0006693010.tif 000014
【０１００】
ここで、単語抽出工程Ｓ１２において障害メッセージから抽出されたｊ番目の単語をＷｊとすると、単語抽出手段１２が抽出した全ての単語Ｗｊはある障害メッセージＳに同時に記載されていることになる。これを数式で表すと、数４と同様、数１４の通りとなる。
【０１０１】
【数１４】
0006693010.tif 000015
【０１０２】
以上から、障害メッセージが発生したときにそれが緊急障害メッセージである条件付き確率Ｐ（Ｅ｜Ｓ）を求めるベイズ分類器は、以下のようにあらわせる。
【０１０３】
【数１５】
0006693010.tif 000016
【０１０４】
なお、ΠＰ（Ｗｊ｜Ｅ）は、緊急障害メッセージが発生したときに単語抽出手段１２が抽出したある単語Ｗｊが緊急障害メッセージ内に含まれる条件付き確率Ｐ（Ｗｊ｜Ｅ）の総乗である。
【０１０５】
すなわち、障害メッセージが発生したときにそれが緊急障害メッセージである条件付き確率Ｐ（Ｅ｜Ｓ）を求めるベイズ分類器は、上記に示す通り、障害メッセージが発生する事前確率Ｐ（Ｓ）、緊急障害メッセージが発生する事前確率Ｐ（Ｅ）、及び、ある単語が緊急障害メッセージに含まれる条件付き確率Ｐ（Ｗ｜Ｅ）に基づき、作成される。
【０１０６】
また、上記の数式において、「緊急障害メッセージが発生する事前確率Ｐ（Ｅ）」を「非緊急障害メッセージが発生する事前確率Ｐ（Ｍ）」に置き換えると、障害メッセージが発生したときにそれが非緊急障害メッセージである条件付き確率Ｐ（Ｍ｜Ｓ）を求めるベイズ分類器が数１６の通りに求められる。
【０１０７】
なお、非緊急障害メッセージとは、ある障害メッセージが緊急対応を要する障害を知らせるメッセージではないと、緊急度判定用分類器作成手段１８が学習したメッセージ又は本実施形態の障害対応支援装置１の対応者若しくは設定者が事前に判断したメッセージである。
【０１０８】
【数１６】
0006693010.tif 000017
【０１０９】
すなわち、障害メッセージが発生したときにそれが非緊急障害メッセージである条件付き確率Ｐ（Ｍ｜Ｓ）を求めるベイズ分類器は、上記に示す通り、障害メッセージが発生する事前確率Ｐ（Ｓ）、非緊急障害メッセージが発生する事前確率Ｐ（Ｍ）、及び、ある単語が非緊急障害メッセージに含まれる条件付き確率Ｐ（Ｗ｜Ｍ）に基づき、作成される。
【０１１０】
なお、上記の緊急度判定用分類器作成工程Ｓ１８は、緊急度判定用分類器がすでに作成又は事前入力されている場合、所定の条件Ｃ２を満たした場合（Ｃ２→Ｓ１８）のみに行われることが好ましい。これは、緊急度判定用分類器作成工程Ｓ１８を行う障害対応支援装置１の処理負担を軽減させるためである。本実施形態の緊急度判定用分類器作成工程Ｓ１８が行われる所定の条件は、例えば、週に１回などの時期的条件である。所定の条件は、時期的条件だけでなく、ベイズ分類器の作成を行った後に１０回回避するといった回数的条件など他の条件であっても良い。
【０１１１】
［２−２−３］緊急度判定工程Ｓ１９
緊急度判定手段１９は、緊急度判定工程Ｓ１９を行う。緊急度判定工程Ｓ１９は、以下の演算工程及び判定工程により構成される。
【０１１２】
（１）演算工程
演算工程においては、単語抽出手段１２が抽出した全ての単語及び緊急度判定用ベイズ分類器に基づき、障害メッセージが発生したときにそれが緊急障害メッセージである条件付き確率Ｐ（Ｅ｜Ｓ）、及び、障害メッセージが発生したときにそれが非緊急障害メッセージである条件付き確率Ｐ（Ｍ｜Ｓ）を演算する。
【０１１３】
例えば、緊急障害メッセージ内において各単語が緊急障害メッセージに含まれる条件付き確率Ｐ（Ｗｊ｜Ｅ）が、緊急度の設定及び学習の結果から、例えば、Ｐ（Ｗ１｜Ｅ）＝０．３５、Ｐ（Ｗ２｜Ｅ）＝０．３、Ｐ（Ｗ３｜Ｅ）＝０．２５、Ｐ（Ｗ４｜Ｅ）＝０．２５、になっているとする。その結果、上記した各単語における条件付き確率Ｐ（Ｗｊ｜Ｅ）のみで計算した場合（ｊ＝１〜４）、ΠＰ（Ｗｊ｜Ｅ）＝０．００６５６となる。
【０１１４】
ここで、上記した数８の通り、Ｐ（Ｓ）≠０に置き換えることができる。
【０１１５】
また、緊急障害メッセージが発生する事前確率Ｐ（Ｅ）と非緊急障害メッセージが発生する事前確率Ｐ（Ｍ）とが同様の確率で起こることに反対理由がない。よって、理由不十分の原則及び重大障害メッセージが発生する事前確率Ｐ（Ｆ）＝０．５（数式９）により、Ｐ（Ｅ）及びＰ（Ｍ）は数１７の通りに置き換えることができる。
【０１１６】
【数１７】
0006693010.tif 000018
【０１１７】
一方、重大障害メッセージは緊急障害メッセージ又は非緊急障害メッセージのいずれかであるため、上記の重大障害メッセージが発生した場合、これら各単語が非緊急障害メッセージに含まれる条件付き確率Ｐ（Ｗｊ｜Ｍ）は、数１８の通りとなる。
【０１１８】
【数１８】
0006693010.tif 000019
【０１１９】
そのため、これら各単語が非緊急障害メッセージに含まれる条件付き確率Ｐ（Ｗｊ｜Ｍ）は、Ｐ（Ｗ１｜Ｍ）＝０．１５、Ｐ（Ｗ２｜Ｍ）＝０．２、Ｐ（Ｗ３｜Ｍ）＝０．２５、Ｐ（Ｗ４｜Ｍ）＝０．２５、となる。その結果、上記した各単語における条件付き確率Ｐ（Ｗｊ｜Ｍ）のみで計算した場合（ｊ＝１〜４）、ΠＰ（Ｗｊ｜Ｍ）＝０．００１８８となる。
【０１２０】
すなわち、障害メッセージが発生したときにそれが緊急障害メッセージである条件付き確率はＰ（Ｅ｜Ｓ）、及び、障害メッセージが発生したときにそれが非緊急障害メッセージである条件付き確率Ｐ（Ｍ｜Ｓ）の演算結果は、上記の単語Ｗ１〜Ｗ４に限った場合、以下の数１９の通りとなる。
【０１２１】
【数１９】
0006693010.tif 000020
【０１２２】
（２）判定工程
判定工程においては、障害メッセージが発生したときにそれが緊急障害メッセージである条件付き確率はＰ（Ｅ｜Ｓ）と、障害メッセージが発生したときにそれが非緊急障害メッセージである条件付き確率Ｐ（Ｍ｜Ｓ）とを比較することにより、以下の通りに判定する。
【０１２３】
例えば、上記具体例の場合、数１９に示す通り、条件付き確率Ｐ（Ｅ｜Ｓ）が条件付き確率Ｐ（Ｍ｜Ｓ）よりも大きくなる。この場合、障害メッセージが緊急障害メッセージであると判定する。
【０１２４】
一方、上記具体例とは異なり、条件付き確率Ｐ（Ｅ｜Ｓ）が条件付き確率Ｐ（Ｍ｜Ｓ）よりも小さくなった場合、障害メッセージが非緊急障害メッセージであると判定する。
【０１２５】
緊急度判定手段１９による緊急度判定の結果は、表示手段１５に送信される。そして、表示手段１５は、上記の通り、緊急度を表示する。緊急度の表示としては、例えば、新規の障害メッセージを表示する画面内において、その新規の障害メッセージの付近に赤色かつ太文字で「緊急」を表示することなどが挙げられる。
【０１２６】
以上の流れにより、緊急度判定に関する処理がなされる。
【０１２７】
［２−３］推奨度に関する処理
最後に、推奨度に関する処理の流れを以下に示す。
【０１２８】
［２−３−１］推奨度付与工程Ｓ２０
推奨度付与手段２０は、障害メッセージに対して推奨される１又は２以上の類似障害対象情報に推奨度を付与する推奨度付与工程Ｓ２０を行う。
【０１２９】
本実施形態における推奨度の付与方法については、例えば次の手法を採用する。推奨度の評価基準は、例えば、（ａ）障害メッセージの重大度又は（ｂ）類似障害対象情報の閲覧数などの客観的評価や、（ｃ）類似障害対象情報に対する「いいね」ボタンのクリックなどの対応者の主観的評価などである。
【０１３０】
推奨度付与手段２０は、上記の評価基準の優先度、総和又は総乗などの評価計算その他の評価方法に基づき、類似障害対象情報に対して推奨度を付与し、表示手段１５に送信される。また、表示手段１５は、入手した新規の障害メッセージに対して、推奨度が高い順に類似障害対象情報を表示する。
【０１３１】
以上の流れにより、推奨度に関する処理がなされる。
【０１３２】
［３］本実施形態の効果
次に、本実施形態の障害対応支援装置１、障害対応支援プログラム２及び記憶媒体３の作用及び効果を説明する。
【０１３３】
（１）本実施形態の障害対応支援装置１は、被監視端末に生じた障害内容を示す障害メッセージを入手する障害メッセージ入手手段１１と、障害メッセージに含まれる１又は２以上の単語を抽出する単語抽出手段１２と、障害メッセージが発生する事前確率Ｐ（Ｓ）、重大障害メッセージが発生する事前確率Ｐ（Ｆ）、及び、ある単語が重大障害メッセージに含まれる条件付き確率Ｐ（Ｗ｜Ｆ）に基づき、障害メッセージが発生したときにそれが重大障害メッセージである条件付き確率Ｐ（Ｆ｜Ｓ）を求めるベイズ分類器を作成するとともに、事前確率Ｐ（Ｓ）、非重大障害メッセージが発生する事前確率Ｐ（Ｎ）、及び、ある単語が非重大障害メッセージに含まれる条件付き確率Ｐ（Ｗ｜Ｎ）に基づき、障害メッセージが発生したときにそれが非重大障害メッセージである条件付き確率Ｐ（Ｎ｜Ｓ）を求めるベイズ分類器を作成する重大度判定用分類器作成手段１３と、単語抽出手段１２が抽出した全ての単語及びベイズ分類器に基づき条件付き確率Ｐ（Ｆ｜Ｓ）及び条件付き確率Ｐ（Ｎ｜Ｓ）を演算し、条件付き確率Ｐ（Ｆ｜Ｓ）が条件付き確率Ｐ（Ｎ｜Ｓ）よりも大きい場合には障害メッセージが重大障害メッセージであると判定し、条件付き確率Ｐ（Ｆ｜Ｓ）が条件付き確率Ｐ（Ｎ｜Ｓ）よりも小さい場合には障害メッセージが非重大障害メッセージであると判定する重大度判定手段１４と、障害メッセージに対して判定の結果を表示する表示手段１５と、を備えることを特徴とする。
【０１３４】
これにより、本実施形態の障害対応支援装置１は、障害メッセージが発生したときにそれが重大障害メッセージである条件付き確率Ｐ（Ｆ｜Ｓ）と障害メッセージが発生したときにそれが非重大障害メッセージである条件付き確率Ｐ（Ｎ｜Ｓ）との比較に基づき障害メッセージの重大度を客観的に判断するため、対応者の経験に依存することなく、障害メッセージに対する重大度の判定の結果を表示することができる。
【０１３５】
（２）また、本実施形態の障害対応支援装置１は、障害メッセージに対応する必要があったか否かを示す対応要否評価を対応者に要求する対応要否評価要求手段１６と、を更に備えており、重大度判定用分類器作成手段１３は、対応要否評価に基づき要対応と評価された要対応障害メッセージを重大障害メッセージであると学習するとともに、対応要否評価に基づき対応不要と評価された対応不要障害メッセージを非重大障害メッセージであると学習することが好ましい。
【０１３６】
これにより、本実施形態の障害対応支援装置１は、障害メッセージを確認した対応者が要対応であると判断した障害メッセージを重大障害メッセージとして学習するので、客観的な判定の結果に対して対応者の主観的判断を加えることができる。
【０１３７】
（３）また、本実施形態の障害対応支援装置１は、障害メッセージに緊急対応する必要があったか否かを示す緊急度評価を対応者に要求する緊急度評価要求手段１７と、緊急度評価に基づき緊急であると評価された障害メッセージを緊急障害メッセージであると学習するとともに、緊急度評価に基づき緊急でないと評価された障害メッセージを非緊急障害メッセージであると学習することにより、事前確率Ｐ（Ｓ）、緊急障害メッセージが発生する事前確率Ｐ（Ｅ）、及び、ある単語が緊急障害メッセージに含まれる条件付き確率Ｐ（Ｗ｜Ｅ）に基づき、障害メッセージが発生したときにそれが緊急障害メッセージである条件付き確率Ｐ（Ｅ｜Ｓ）を求めるベイズ分類器を作成するとともに、事前確率Ｐ（Ｓ）、非緊急障害メッセージが発生する事前確率Ｐ（Ｍ）、及び、ある単語が非緊急障害メッセージに含まれる条件付き確率Ｐ（Ｗ｜Ｍ）に基づき、障害メッセージが発生したときにそれが非緊急障害メッセージである条件付き確率Ｐ（Ｍ｜Ｓ）を求めるベイズ分類器を作成する緊急度判定用分類器作成手段１８と、単語抽出手段１２が抽出した全ての単語及びベイズ分類器に基づき条件付き確率Ｐ（Ｅ｜Ｓ）及び条件付き確率Ｐ（Ｍ｜Ｓ）を演算し、条件付き確率Ｐ（Ｅ｜Ｓ）及び条件付き確率Ｐ（Ｍ｜Ｓ）よりも大きい場合には障害メッセージが緊急障害メッセージであると判定し、条件付き確率Ｐ（Ｅ｜Ｓ）及び条件付き確率Ｐ（Ｍ｜Ｓ）よりも小さい場合には障害メッセージが非緊急障害メッセージであると判定する緊急度判定手段１９と、を更に備えることが好ましい。
【０１３８】
これにより、本実施形態の障害対応支援装置１は、障害メッセージが発生したときにそれが緊急障害メッセージである条件付き確率Ｐ（Ｅ｜Ｓ）と障害メッセージが発生したときにそれが非緊急障害メッセージである条件付き確率Ｐ（Ｍ｜Ｓ）との比較に基づき、障害メッセージの重大度だけでなく、その緊急度も客観的に判断するため、対応者の経験に依存することなく、障害メッセージに対する重大度及び緊急度の複合的な判定の結果を表示することができる。
【０１３９】
（４）また、本実施形態の障害対応支援装置１は、障害メッセージに対して推奨される１又は２以上の類似障害対象情報に推奨度を付与する推奨度付与手段２０と、を更に備えており、表示手段１５は、入手した障害メッセージに対して推奨度が高い順に類似障害対象情報を表示することが好ましい。
【０１４０】
これにより、本実施形態の障害対応支援装置１は、重要度や緊急度が同様な２以上の類似障害対象情報が存在する場合であっても、ある対応者が理解容易な類似障害対象情報に対して高い推奨度を付与することにより、どの類似障害対象情報が理解容易かを別の対応者が判断することができる。
【０１４１】
（５）また、本実施形態の障害対応支援装置１において、重大度判定用分類器作成手段１３又は緊急度判定用分類器作成手段１８は、時期的条件、回数的条件その他の所定の条件を満たしたときに、分類器を作成することが好ましい。
【０１４２】
これにより、本実施形態の障害対応支援装置１は、分類器作成に伴う処理の負担を減少させることができる。
【０１４３】
（６）また、本実施形態の障害対応支援プログラム２は、上記した本実施形態の障害対応支援装置１としてコンピュータを機能させるためのものであることを特徴としている。
【０１４４】
これにより、本実施形態の障害対応支援プログラムは、障害メッセージが発生したときにそれが重大障害メッセージである条件付き確率Ｐ（Ｆ｜Ｓ）と障害メッセージが発生したときにそれが非重大障害メッセージである条件付き確率Ｐ（Ｎ｜Ｓ）との比較に基づき障害メッセージの重大度を客観的に判断するため、対応者の経験に依存することなく、障害メッセージに対する重大度の判定の結果を表示することができる。
【０１４５】
（７）また、本実施形態の記憶媒体３は、上記した本実施形態の障害対応支援プログラム２を記憶したコンピュータ読み取り可能なものであることを特徴としている。
【０１４６】
これにより、本実施形態の記憶媒体３は、その記憶媒体を接続させたコンピュータを、本実施形態の障害対応支援装置１として機能させることができる。
【０１４７】
すなわち、本実施形態の障害対応支援装置、障害対応支援プログラム及び記憶媒体は、相対する２つの条件付き確率の比較に基づき客観的に判断することにより、障害メッセージに対する重大度、緊急度又は類似障害対象情報の推奨度に関する判定の結果を表示することができるので、障害対応に不慣れな対応者であっても経験豊富な対応者と同様に対応することができるという効果を奏する。
【０１４８】
なお、本発明は、前述した実施形態などに限定されるものではなく、必要に応じて種々の変更が可能である。
【符号の説明】
【０１４９】
１  障害対応支援装置
２  障害対応支援プログラム
３  記憶媒体
１１  障害メッセージ入手手段
１２  単語抽出手段
１３  重大度判定用分類器作成手段
１４  重大度判定手段
１５  表示手段
１６  対応要否評価要求手段
１７  緊急度評価要求手段
１８  緊急度判定用分類器作成手段
１９  緊急度判定手段
２０  推奨度付与手段
５１  被監視端末
５２  監視ツール
Ｓ１１  障害メッセージ入手工程
Ｓ１２  単語抽出工程
Ｓ１３  重大度判定用分類器作成工程
Ｓ１４  重大度判定工程
Ｓ１５  表示工程
Ｓ１６  対応要否評価要求工程
Ｓ１７  緊急度評価要求工程
Ｓ１８  緊急度判定用分類器作成工程
Ｓ１９  緊急度判定工程
Ｓ２０  推奨度付与工程
【図１】
0006693010.tif 000021
【図２】
0006693010.tif 000022
【図３】
0006693010.tif 000023
【図４】
0006693010.tif 000024
【図５】
0006693010.tif 000025
【図６】
0006693010.tif 000026
【図７】
0006693010.tif 000027